(57)【特許請求の範囲】
【請求項１】
収容された医療機器と医療機器付属品との少なくとも一方を、貯留された薬液に接触させる洗浄消毒槽と、
前記洗浄消毒槽と装置外とを連通させる送風管路と、
前記送風管路中と前記送風管路出口との少なくとも一方に配置された、菌とウイルスとの少なくとも一方を捕獲または失活させる菌／ウイルスブロッカと、
を具備し、
前記送風管路は、前記管路の中途位置において分岐され、前記分岐された前記送風管路の一方の管路に、前記薬液の臭気を捕獲または無効化する臭気ブロッカが配置されているとともに、分岐された前記送風管路の他方の管路に、前記菌／ウイルスブロッカが配置されており、
前記送風管路に、前記一方の管路と前記他方の管路とのいずれかに気体が送風されるよう、前記送風管路内の送風経路を切り替える切り替え部が設けられていることを特徴とする医療機器リプロセス装置。
【請求項２】
前記切り替え部は、前記洗浄消毒槽内において、前記医療機器と前記医療機器付属品との少なくとも一方の洗浄工程中、前記洗浄工程後の濯ぎ工程中、前記濯ぎ工程後の送気工程中は、前記他方の管路に送風経路を切り替え、
送気工程後における前記医療機器と前記医療機器付属品との少なくとも一方の消毒工程中、前記消毒工程後の濯ぎ工程中、前記濯ぎ工程後の送気工程中は、前記一方の管路に送風経路を切り替えることを特徴とする請求項１に記載の医療機器リプロセス装置。
【請求項３】
前記切り替え部は、前記洗浄消毒槽内において、前記医療機器と前記医療機器付属品との少なくとも一方の洗浄工程中、前記洗浄工程後の濯ぎ工程中、前記濯ぎ工程後の送気工程中は、前記他方の管路に送風経路を切り替え、
送気工程後における前記医療機器と前記医療機器付属品との少なくとも一方の消毒工程後は、前記一方の管路に送風経路を切り替え、消毒工程後の濯ぎ工程中、前記濯ぎ工程後の送気工程中は、再度、前記他方の管路に送風経路を切り替えることを特徴とする請求項１に記載の医療機器リプロセス装置。
【請求項４】
収容された医療機器と医療機器付属品との少なくとも一方を、貯留された薬液に接触させる洗浄消毒槽と、
前記洗浄消毒槽と装置外とを連通させる送風管路と、
前記洗浄消毒槽から前記洗浄消毒槽外に導出される排液管路と、
前記薬液の臭気を捕獲または無効化する臭気ブロッカと、
前記洗浄消毒槽に供給される前記薬液が貯留された薬液タンクと、
を具備し、
前記送風管路は、前記管路の中途位置において分岐され、前記分岐された前記送風管路の一方の管路に、前記臭気ブロッカまたは前記菌／ウイルスブロッカが配置され、他方の管路は、前記排液管路または前記薬液タンクに接続されていることを特徴とする医療機器リプロセス装置。
【発明の詳細な説明】
【技術分野】
【０００１】
本発明は、医療機器を洗浄消毒する医療機器リプロセス装置に関する。
【背景技術】
【０００２】
医療機器や該医療機器の付属品を洗浄消毒する医療機器リプロセス装置が周知である。医療機器リプロセス装置を用いれば、医療機器や該医療機器の付属品を、医療機器リプロセス装置の洗浄消毒槽内にセットするのみで、医療機器や該医療機器の付属品に対して、自動的に、洗浄、消毒、濯ぎ及び水切り等を行うことができる。
【０００３】
ここで、消毒工程に用いられる消毒液として過酢酸等の刺激臭を有する薬品を用いる場合、臭いが洗浄消毒槽から医療機器リプロセス装置外の大気中に漏れてしまうと、医療機器リプロセス装置の使用者に不快感を与えてしまうといった問題があった。
【０００４】
そこで、医療機器リプロセス装置の洗浄消毒槽の大気開口部に、消毒液の臭気を捕獲または無効化する臭気ブロッカが設けられた構成が周知である（特許文献１）。
【先行技術文献】
【特許文献】
【０００５】
【特許文献１】特開２００９−７７７７０号公報
【発明の概要】
【発明が解決しようとする課題】
【０００６】
例えば、新たに開発された気体と液体とを混合した気液二相流により内視鏡管路を洗浄消毒する場合、従来の流体のみの洗浄と比較して洗浄消毒の際に装置内の気体中に極わずかに生きた状態の菌やウイルスが拡散する可能性がある。
【０００７】
更に、従来の装置に配置されている臭気ブロッカは、臭気は留められても菌やウイルスは通過させてしまう可能性がある。
【０００８】
本発明は、上記事情に鑑みてなされたものであり、洗浄消毒装置から、大気中に菌やウイルスが排出されてしまうことを防ぐ構成を有する医療機器リプロセス装置を提供することを目的とする。
【課題を解決するための手段】
【０００９】
上記目的を達成するため本発明の一態様による医療機器リプロセス装置は、収容された医療機器と医療機器付属品との少なくとも一方を、貯留された薬液に接触させる洗浄消毒槽と、前記洗浄消毒槽と装置外とを連通させる送風管路と、前記送風管路中と前記送風管路出口との少なくとも一方に配置された、菌とウイルスとの少なくとも一方を捕獲または失活させる菌／ウイルスブロッカと、を具備し、前記送風管路は、前記管路の中途位置において分岐され、前記分岐された前記送風管路の一方の管路に、前記薬液の臭気を捕獲または無効化する臭気ブロッカが配置されているとともに、分岐された前記送風管路の他方の管路に、前記菌／ウイルスブロッカが配置されており、前記送風管路に、前記一方の管路と前記他方の管路とのいずれかに気体が送風されるよう、前記送風管路内の送風経路を切り替える切り替え部が設けられている。
【発明の効果】
【００１１】
本発明によれば、洗浄消毒槽から、大気中に菌やウイルスが排出されてしまうことを防ぐ構成を有する医療機器リプロセス装置を提供することができる。
【図面の簡単な説明】
【００１２】
【図１】本実施の形態を示す医療機器リプロセス装置を概略的に示す斜視図
【図２】図１の医療機器リプロセス装置における洗浄消毒槽の大気開口部の構成の概略を、洗浄消毒槽とともに示す図
【図３】図１の医療機器リプロセス装置を用いた洗浄消毒工程における送風管路の切り替え制御を示す図表
【図４】図３の切り替え制御の変形例を示す図表
【図５】送風管路の他方の管路を、排液管路に接続した変形例を示す図
【図６】送風管路の他方の管路を、薬液タンクから医療機器リプロセス装置外に導出するエア抜き管路に接続した図５の変形例を示す図
【図７】図５の送風管路を１つから構成した図５の変形例を示す図
【図８】図７の送風管路を、薬液タンクから医療機器リプロセス装置外に導出するエア抜き管路に接続した図７の変形例を示す図
【発明を実施するための形態】
【００１３】
以下、図面を参照して本発明の実施の形態を説明する。  
図１は、本実施の形態を示す医療機器リプロセス装置を概略的に示す斜視図、図２は、図１の医療機器リプロセス装置における洗浄消毒槽の大気開口部の構成の概略を、洗浄消毒槽とともに示す図である。
【００１４】
図１、図２に示すように、医療機器リプロセス装置１は、医療機器５０と、該医療機器５０の付属品５１との少なくとも一方を洗浄消毒する装置であり、装置本体２と、該装置本体２の上部において、開閉自在な蓋体３とを具備して主要部が構成されている。蓋体３は、例えば足を使用するペダル９のように掌で触れずに開閉できる構造であると衛生的で好ましい。
【００１５】
尚、医療機器５０としては、内視鏡や、処置具等が挙げられ、医療機器付属品５１としては、内視鏡から外された操作釦や処置具から外された部品等が挙げられる。
【００１６】
また、図２に示すように、装置本体２には、収容された医療機器５０と、医療機器付属品５１との少なくとも一方を、貯留された薬液Ｗに接触させる洗浄消毒槽５が設けられている。尚、薬液Ｗとしては、洗浄液や、消毒液、濯ぎ水等が挙げられる。
【００１７】
また、図１に例示される洗浄消毒槽５は、操作者によるペダル９の踏み込み操作に伴って蓋体３が開成されることにより、操作者により、医療機器５０や医療機器付属品５１が出し入れできる装置本体２の位置に設けられている。
【００１８】
また、医療機器リプロセス装置１の上部、具体的には蓋体３の上部には、洗浄消毒槽５と連通する大気開口部１００が設けられている。
【００１９】
大気開口部１００は、洗浄消毒槽５と、医療機器リプロセス装置１外、即ち大気中とを連通させる送風管路１５を具備している。
【００２０】
送風管路１５は、図２に示すように、一端が洗浄消毒槽５中に開口されており、中途位置において、２つに分岐され、該分岐後の一方の管路及び他方の管路の各他端が、大気中に開口された構成を有している。
【００２１】
即ち、送風管路１５は、分岐部よりも上流側の洗浄消毒槽５中に開口する管路１５ａと、該分岐部よりも下流側に位置する、大気中に開口する一方の管路１５ｂ及び他方の管路１５ｃとにより構成されている。
【００２２】
一方の管路１５ｂ及び他方の管路１５ｃの中途位置には、一方の管路１５ｂと他方の管路１５ｃとのいずれかに気体が送風されるよう、送風管路１５内の送風経路を切り替える、具体的には、管路１５ｂ、１５ｃ内の流路を開閉する切り替え部１３、１４が、それぞれ設けられている。
【００２３】
尚、切り替え部１３、１４としては、装置本体２に設けられた図示しない制御部の動作制御によって開閉される電磁弁等が挙げられる。また、送風管路１５を流れる気体としては、空気や、洗浄工程によって医療機器５０や医療機器付属品５１から除去された菌Ｋ、ウイルスＶや、消毒工程に用いられる消毒液の臭気Ｓ等が含まれる。
【００２４】
また、図１、図２に示すように、送風管路１５の分岐部近傍と、切り替え部１３、１４とは、例えばケース１０によって外部に露出されることがないよう覆われている。
【００２５】
一方の管路１５ｂの切り替え部１３よりも下流側において、管路１５ｂ中と管路１５ｂの出口との少なくとも一方に、消毒液の臭気Ｓを捕獲または無効化する臭気ブロッカ１１が設けられている。臭気ブロッカ１１に供給された臭気Ｓは、臭気ブロッカ１１により捕獲または無効化された後、大気中に排出される。
【００２６】
尚、臭気ブロッカ１１は、例えば活性炭、または過酢酸と反応する還元剤等から構成された化学反応剤等を有するフィルタから構成されている。また、臭気ブロッカ１１に菌ＫやウイルスＶが繁殖してしまうのを防ぐため、臭気ブロッカ１１の下部に、管路１５ａ、１５ｂを介して消毒液を供給する構成を、装置本体２は有していても構わない。また、臭気ブロッカ１１に菌ＫやウイルスＶが繁殖してしまうのを防ぐための他の方法として熱殺菌や紫外線殺菌可能などの従来公知の殺菌方法を適用可能な構造を備えていてもよい。
【００２７】
また、他方の管路１５ｃの切り替え部１４よりも下流側において、管路１５ｃ中と管路１５ｃの出口との少なくとも一方に、洗浄工程によって医療機器５０や医療機器付属品５１から除去された菌ＫとウイルスＶとの少なくとも一方を捕獲または失活させる菌／ウイルスブロッカ１２が設けられている。菌／ウイルスブロッカ１２に供給された菌ＫやウイルスＶは、菌／ウイルスブロッカ１２により捕獲または失活された後、大気中に排出される。
【００２８】
尚、菌／ウイルスブロッカ１２は、菌およびウイルスを捕集可能なフィルタや、菌およびウイルスが接触することにより失失活するフィルタ、紫外線照射装置、吸着剤、殺菌／殺ウイルス剤を噴霧可能な装置、および殺菌／殺ウイルス剤を蒸散可能な装置からなる群より選択される少なくとも１種から構成されている。
【００２９】
尚、その他の医療機器リプロセス装置１の構成は、周知であるため、その説明は省略する。
【００３０】
次に、本実施の形態の作用を、上述した図２とともに、図３、図４を用いて説明する。
【００３１】
図３は、図１の医療機器リプロセス装置を用いた洗浄消毒工程における送風管路の切り替え制御を示す図表、図４は、図３の切り替え制御の変形例を示す図表である。
【００３２】
先ず、洗浄消毒槽５に洗浄液を注入し、洗浄消毒槽５内の医療機器５０と医療機器付属品５１との少なくとも一方に対して洗浄工程を行い、洗浄工程後、洗浄消毒槽５に濯ぎ水を注入して濯ぎ工程を行い、濯ぎ工程後、洗浄消毒槽５に気体を供給して医療機器５０と医療機器付属品５１との少なくとも一方に残留した濯ぎ水を除去する場合には、図３に示すように、装置本体２の上述した制御部は、切り替え部１３を閉にするとともに切り替え部１４を開にして、送風経路を、他方の管路１５ｃに切り替えて、菌／ウイルスブロッカ１２に気体を供給する。
【００３３】
その結果、洗浄工程中、その後の濯ぎ工程中、その後の送気工程中、及び送気工程後、消毒工程前において、医療機器５０と医療機器付属品５１との少なくとも一方から除去された菌ＫとウイルスＶとの少なくとも一方は、管路１５ａ、管路１５ｃを介して菌／ウイルスブロッカ１２に供給され、菌ＫやウイルスＶは、菌／ウイルスブロッカ１２により捕獲されるか、または失活されて大気中に排出される。尚、以上のことは、洗浄消毒槽５に、既知の気液２相流を供給する場合であっても同様である。
【００３４】
次に、上述した送気工程後、洗浄消毒槽５に消毒液を注入し、洗浄消毒槽５内の医療機器５０と医療機器付属品５１との少なくとも一方に対して消毒工程を行い、次いで、洗浄消毒槽５に設けられた排液口から消毒液を回収し、該回収後、送気を行い、医療機器５０と医療機器付属品５１との少なくとも一方に残留した消毒液を除去し、その後、洗浄消毒槽５に濯ぎ水を注入して濯ぎ工程を行い、濯ぎ工程後、洗浄消毒槽５に再度気体を供給して医療機器５０と医療機器付属品５１との少なくとも一方に残留した濯ぎ水を除去する場合には、図３に示すように、装置本体２の上述した制御部は、切り替え部１４を閉にするとともに切り替え部１３を開にして、送風経路を、一方の管路１５ｂに切り替えて、臭気ブロッカ１１に気体を供給する。
【００３５】
その結果、消毒工程中、その後の送気工程中、その後の濯ぎ工程中、その後の送気工程中おける消毒液の臭気Ｓは、管路１５ａ、管路１５ｂを介して臭気ブロッカ１１に供給され、臭気Ｓは、臭気ブロッカ１１により捕獲または無効化されて大気中に排出される。
【００３６】
また、洗浄消毒槽５に消毒液を供給した後は、洗浄消毒槽５中の菌ＫやウイルスＶは、死滅するため、送風経路を、他方の管路１５ｃに切り替える必要は無い。
【００３７】
しかしながら、図４に示すように、消毒液回収後に行われる送気工程後の濯ぎ工程以降は、臭気ブロッカ１１、一方の管路１５ｂ、管路１５ａを介して、大気中の菌ＫやウイルスＶが洗浄消毒槽５に進入してしまうことがないよう、再度、切り替え部１３を閉にするとともに切り替え部１４を開にして、送風経路を、他方の管路１５ｃに切り替えても良い。さらに、最後の送気工程後は、排液口を介して、洗浄消毒槽５に大気中の菌ＫやウイルスＶが進入してしまうことがないよう、排液口の弁を閉状態にしても良い。
【００３８】
この図４の制御を用いれば、洗浄消毒工程終了後、洗浄消毒槽５中を無菌状態に保つことができることから、医療機器５０や医療機器付属品５１を洗浄消毒槽５中に放置し続けても、医療機器５０や医療機器付属品５１の無菌状態を確保することができる。言い換えれば、洗浄消毒槽５を、医療機器５０や医療機器付属品５１の保管庫として利用することができる。
【００３９】
尚、洗浄消毒槽５を保管庫として使用する場合には、医療機器５０の乾燥をより促進させるため、または定期的に洗浄消毒槽５内の雰囲気を入れ替えるために、洗浄消毒槽５に定期的な送気を行っても構わない。
【００４０】
具体的には、乾燥促進を行う場合は、洗浄消毒工程終了後、洗浄消毒槽５に対して、１時間に２分ずつ送気を行っても構わないし、洗浄消毒槽５内の雰囲気を入れ替える場合は、洗浄消毒工程終了後、１時間までは、１５分ごとに２分間の送気を行う等、定期的な送風を行っても構わない。尚、定期的な送風タイミングは、どのようなものであっても構わない。
【００４１】
このように、本実施の形態においては、医療機器リプロセス装置１に、洗浄消毒槽５と医療機器リプロセス装置１外とを連通させる送風管路１５が設けられており、該送風管路１５に、菌／ウイルスブロッカ１２が設けられていることから、洗浄消毒槽５中の菌ＫやウイルスＶは、菌／ウイルスブロッカ１２によって捕獲または失活されるため、大気中に、菌ＫやウイルスＶを排出してしまうことを防ぐことができる。
【００４２】
また、送風管路１５は、中途位置において２つの管路１５ｂ、１５ｃに分岐されており、管路１５ｂに臭気ブロッカ１１が設けられ、管路１５ｃに菌／ウイルスブロッカ１２が設けられ、各管路１５ｂ、１５ｃに設けられた切り替え部１３、１４により送風管路１５内の送風経路が切り替えられることから、洗浄工程等において、菌ＫやウイルスＶが発生する場合には、送風経路を管路１５ｃに切り替えて、菌／ウイルスブロッカ１２により、菌ＫやウイルスＶを除去し、消毒工程以降、菌ＫやウイルスＶの死滅後、臭気Ｓが発生する場合には、送風経路を管路１５ｂに切り替えて、臭気ブロッカ１１により臭気Ｓを除去することができるため、大気中に、菌ＫやウイルスＶのみならず、臭気Ｓを洗浄消毒槽５から排出されてしまうことを防ぐことができる。
【００４３】
以上から、洗浄消毒槽５から、大気中に菌ＫやウイルスＶが排出されてしまうことを防ぐ構成を有する医療機器リプロセス装置１を提供することができる。
【００４４】
尚、上述した構成においては、送風管路１５は、中途位置において、２つの管路１５ｂ、１５ｃに分岐され、管路１５ｂに、臭気ブロッカ１１が設けられ、管路１５ｃに菌／ウイルスブロッカ１２が設けられると示したが、消毒液を用いない医療機器リプロセス装置１、または臭気を伴わない消毒液を用いる場合においては、臭気Ｓがそもそも発生しないため、臭気ブロッカ１１が設けられている必要がない。
【００４５】
即ち、この場合、送風管路１５は、分岐される必要がなく、送風管路１５に、菌／ウイルスブロッカ１２が設けられるだけの構成で構わない。
【００４６】
また、上述の実施例では二又に分岐した管路を用いて、臭気ブロッカと、菌／ウイルスブロッカとを一方と他方とに配置されているが、例えば、分岐した管路を用いなくいともよい。この場合、臭気ブロッカと、菌／ウイルスブロッカと同じ管路に配置すればよく、臭気ブロッカと比較して、菌／ウイルスブロッカの通気性が低い場合には、菌／ウイルスブロッカの大きさを調整して、排気の際に気詰まりがおきないようにすればよい。
【００４７】
また、以下、変形例を、図５、図６を用いて示す。図５は、送風管路の他方の管路を、排液管路に接続した変形例を示す図、図６は、送風管路の他方の管路を、薬液タンクから医療機器リプロセス装置外に導出するエア抜き管路に接続した図５の変形例を示す図である。
【００４８】
図５に示すように、他方の管路１５ｃに菌／ウイルスブロッカ１２を設けずに、洗浄消毒槽５から医療機器リプロセス装置１外に導出された、薬液Ｗを医療機器リプロセス装置１外に排出する排液管路２０に、他方の管路１５ｃを接続しても構わない。この場合、他方の管路１５ｃには、薬液の逆流を防ぐ逆止弁２４が設けられている。
【００４９】
尚、排液管路２０の中途位置には、排液口の開閉弁２１、排液ポンプ２２等が介装されており、開閉弁２１が開にされ、排液ポンプ２２が駆動されると、洗浄消毒槽５中の薬液Ｗは、排液管路２０を介して、医療機器リプロセス装置１外に排出される。
【００５０】
このような構成によれば、洗浄消毒槽５中の菌ＫやウイルスＶは、管路１５ｃ、排液管路２０を介して、医療機器リプロセス装置１外に排出されることから、図５の構成によっても、洗浄消毒槽５から、大気中に菌ＫやウイルスＶや臭気Ｓが排出されてしまうことを防ぐ構成を有する医療機器リプロセス装置１を提供することができる。
【００５１】
尚、図５の構成とは逆に、一方の管路１５ｂに、菌／ウイルスブロッカ１２を設け、他方の管路１５ｃに臭気ブロッカ１１を設けずに、排液管路２０に、他方の管路１５ｃを接続する構成であっても構わない。
【００５２】
また、図６に示すように、一方の管路１５ｂに臭気ブロッカ１１を設け、他方の管路１５ｃは、装置本体２内に設けられた洗浄消毒槽５に消毒液Ａを供給する薬液タンクである消毒液タンク３０から、医療機器リプロセス装置１外に延出されたエア抜き管路３１に接続されていても構わない。
【００５３】
このような構成によれば、洗浄消毒槽５中の菌ＫやウイルスＶは、他方の管路１５ｃを介して、エア抜き管路３１に進入するが、菌ＫやウイルスＶは、エア抜き管路３１中の消毒液Ａの蒸気によって死滅し、その後、医療機器リプロセス装置１外に排出されることから、洗浄消毒槽５から、大気中に菌ＫやウイルスＶや臭気Ｓが排出されてしまうことを防ぐことができる。
【００５４】
尚、図６の構成とは逆に、一方の管路１５ｂに、菌／ウイルスブロッカ１２を設け、他方の管路１５ｃに臭気ブロッカ１１を設けずに、エア抜き管路３１に、他方の管路１５ｃを接続する構成であっても構わない。しかしながら、この構成の場合、エア抜き管路３１を介して、臭気Ｓが大気中に排出されてしまう可能性があることから、エア抜き管路３１には、臭気ブロッカ１１が設けられている必要がある。
【００５５】
また、以下、別の変形例を、図７を用いて示す。図７は、図５の送風管路を１つから構成した図５の変形例を示す図である。
【００５６】
図７に示すように、洗浄消毒槽５から延出する送風管路１５は、分岐を有することがない１本の管路であっても構わず、該１本の送風管路１５が、排液管路２０に接続された構成であっても構わない。尚、本構成においては、送風管路１５には、薬液の逆流を防止する逆止弁２４が設けられている。
【００５７】
このような構成によれば、洗浄消毒槽５中の菌ＫやウイルスＶ、臭気Ｓは、送風管路１５、排液管路２０を介して、医療機器リプロセス装置１外に排出されることから、図５の構成によりも簡単な構成にて、洗浄消毒槽５から、大気中に菌ＫやウイルスＶや臭気Ｓが排出されてしまうことを防ぐことができる。
【００５８】
さらに、以下、別の変形例を、図８を用いて示す。図８は、図７の送風管路を、薬液タンクから医療機器リプロセス装置外に導出するエア抜き管路に接続した図７の変形例を示す図である。
【００５９】
図８に示すように、洗浄消毒槽５から延出する１本の送風管路１５は、上述したエア抜き管路３１に接続されていても構わない。尚、図８においては、エア抜き管路３１の医療機器リプロセス装置１外の開口端には、臭気ブロッカ１１が設けられている。
【００６０】
このような構成によれば、一方、洗浄消毒槽５中の臭気Ｓは、送風管路１５、エア抜き管路３１を介して、臭気ブロッカ１１に供給され、該臭気ブロッカ１１によって、臭気Ｓが捕獲または無効化された後、医療機器リプロセス装置１外に排出される。
【００６１】
他方、洗浄消毒槽５中の菌ＫやウイルスＶは、送風管路１５を介して、エア抜き管路３１に進入するが、菌ＫやウイルスＶは、エア抜き管路３１中の消毒液Ａの蒸気によって死滅し、その後、医療機器リプロセス装置１外に排出される。
【００６２】
よって、このような図８に示す構成であっても、洗浄消毒槽５から、大気中に菌ＫやウイルスＶや臭気Ｓが排出されてしまうことを防ぐことができる。
【符号の説明】
【００６３】
１…医療機器リプロセス装置
２…装置本体
３…蓋体
５…洗浄消毒槽
９…ペダル
１０…ケース
１１…臭気ブロッカ
１２…ウイルスブロッカ
１３…切り替え部
１４…切り替え部
１５…送風管路
１５ａ…管路
１５ｂ…一方の管路
１５ｃ…他方の管路
２０…排液管路
２１…開閉弁
２２…排液ポンプ
２４…逆止弁
３０…消毒液タンク（薬液タンク）
３１…エア抜き管路
５０…医療機器
５１…医療機器付属品
１００…大気開口部
Ａ…消毒液（薬液）
Ｋ…菌（気体）
Ｓ…臭気（気体）
Ｖ…ウイルス（気体）
Ｗ…薬液
【図１】
0005509007.tif 000002
【図２】
0005509007.tif 000003
【図３】
0005509007.tif 000004
【図４】
0005509007.tif 000005
【図５】
0005509007.tif 000006
【図６】
0005509007.tif 000007
【図７】
0005509007.tif 000008
【図８】
0005509007.tif 000009